(57)【要約】  ヨーグルトの瓶などの、複数の物品を収容するためのカートンであって、カートンは、頂壁、側壁および底壁を形成するための複数の主要パネル（４２８、４１６、４２９、４３０）を含む。カートンは、頂壁、側壁および底壁のうちの少なくとも１つの壁（４１６）から形成される成形パネル（４１８）をさらに備える。成形パネル（４１８）は、１つの壁（４１６）から切り取られる第１の開口（４２０）の一部および１つの壁の端縁（４２６）の間に形成される。
2009501679.tif 000002
【特許請求の範囲】
【請求項１】
食料品の瓶などの複数の物品を収容するためのカートンであって、前記カートンは、前記カートンの頂壁、両側壁および底壁を形成するための複数の主要パネルと、前記頂壁、両側壁、底壁のうちの一つの壁から形成される成形パネルとを備え、この成形パネルは互いに対向する第１および第２の端縁を有し、前記成形パネルは、前記１つの壁に少なくとも一部が形成された第１の開口と前記第１の端縁との間に配され、前記成形パネルの輪郭の一部は前記第１の開口により、かつ他の一部は前記第１の端縁により形成され、前記成形パネルの形状が前記物品に関連する視覚情報を提供するよう前記第１の端縁および前記第１の開口が輪郭形成されているカートン。
【請求項２】
前記物品にはそれら物品に関連する印刷情報が印刷され、前記視覚情報は前記印刷情報の少なくとも一部を提供する請求項１に記載のカートン。
【請求項３】
前記頂壁、両側壁、底壁のうち少なくとも一つの壁には前記物品に関連する印刷情報が印刷され、前記視覚情報は前記印刷情報の少なくとも一部を提供する請求項１に記載のカートン。
【請求項４】
前記第１の開口の輪郭はその一部が実質上真直ぐな縁により、かつ他の一部が曲がった縁により形成され、前記曲がった縁により前記成形パネルの輪郭の一部が形成され、前記曲がった縁は前記真直ぐな縁に対向配置されている請求項１に記載のカートン。
【請求項５】
前記一つの壁は印刷部を備え、この印刷部は前記真直ぐな縁と前記第２の端縁との間に形成されている請求項４に記載のカートン。
【請求項６】
前記印刷部には前記物品に関連する印刷情報が印刷され、前記視覚情報が前記印刷情報の少なくとも一部を提供するよう前記真直ぐな縁と前記曲がった縁が形成されている請求項５に記載のカートン。
【請求項７】
前記第２の端縁は実質上直線的であり、前記真直ぐな縁と前記第２の端縁は実質上互いに平行である請求項４に記載のカートン。
【請求項８】
前記主要パネルは互いに対向する一対の壁を含み、これら一対の壁は前記１つの壁の両側縁にそれぞれ折り曲げ自在に連結され、前記第１の開口の前記真直ぐな縁は前記１つの壁の前記両側縁に対して実質上直角に配置されている請求項４に記載のカートン。
【請求項９】
前記成形パネルが前記１つの壁の一部を介して前記印刷部と連続するように、前記第１の開口が前記１つの壁のみに形成されている請求項４に記載のカートン。
【請求項１０】
前記１つの壁は前記第１および第２の端縁の間に延在する両側縁を備え、前記第１の開口の前記曲がった縁が前記両側縁を結んで延びるように前記第１の開口が前記一つの壁を横断している請求項４に記載のカートン。
【請求項１１】
前記成形パネルは前記物品のうちの１つの輪郭形状を真似て成形される請求項１ないし１０いずれかの項に記載のカートン。
【請求項１２】
前記成形パネルの形状は物の形状である請求項１ないし１１いずれかの項に記載のカートン。
【請求項１３】
前記第１の開口および前記第１の端が互いに対向配置されている請求項１ないし１２いずれかの項に記載のカートン。
【請求項１４】
請求項１ないし１３いずれかの項に記載のカートンを形成するためのブランク。
【発明の詳細な説明】
【技術分野】
【０００１】
本発明は、複数の物品を収容するためのカートン、具体的には、カートンの宣伝効果を高める成形パネルが提供されているカートンに関する。
【背景技術】
【０００２】
収容することを意図している物品を入れる場所があるよう成形される開口を有するカートンを提供することが知られており、特許文献１および特許文献２はこれの実例である。
【０００３】
飲料および食品容器などの多数の物品を梱包するためのカートンはしばしば、高品質な紙板から形成されており、カートンに印刷されている広告を有するカートンを提供するのに必要な、図形の印刷可能な表面を有する。材料の最少量から組み立てられるカートンを使用するとき、図形などの印刷のために利用できる表面積は減少される場合がある。同様に、カートンを組み立てる際に品質の低い紙板の材料を使用する場合、カートンの外部表面は、図形が印刷可能とならず、質が悪くなる可能性がある。したがって、広告およびマーケティングの材料を組み込む他の手段を有するカートンを提供することが望ましい。
【特許文献１】英国特許第２３４６６０２号明細書
【特許文献２】英国特許第１４８１５５９号明細書
【発明の開示】
【発明が解決しようとする課題】
【０００４】
本発明の第１の態様では、ヨーグルトの瓶などの複数の物品を収容するためのカートンを提供し、前記カートンは、前記カートンの頂壁、側壁、および底壁を形成するための複数の主要パネルを備え、前記カートンは、前記カートンの壁の少なくとも１つから切り取られる成形パネルをさらに備え、前記形成パネルは、前記１つのカートンの壁から切り取られる第１の開口による部分および前記１つのカートンの壁の端縁による部分で形成され、成形パネルは、見る人に対する前記カートンの視覚的な影響を高めるための手段を提供する。
【課題を解決するための手段】
【０００５】
好ましくは、前記第１の開口は、前記カートンの側壁から完全に切り取られ、また略垂直に直線状の端は、利用者が前記成形パネルを見分けることができる視点を提供する、頂壁と底壁との間に広がる略垂直に直線状の端による一部で形成される。
【０００６】
好ましくは、前記１つのカートンの壁の前記端縁は、前記形成パネルの第１の端を形成するような外形とされる。
【０００７】
好ましくは、第１の開口は、前記成形パネルの第２の端を形成する輪郭を示す端による部分で形成される。
【０００８】
好ましくは、前記成形パネルは、前記１つのカートンの壁の物品の特長を模倣するために、前記カートン内に収容される物品の外形と同様に成形される。
【０００９】
好ましくは、前記成形パネルは、オブジェクトの図形的表示を含み／示し、また前記オブジェクトの外形の少なくとも一部は、前記第１の開口および切れ目のうちの１つまたは両方により形成される。
【００１０】
好ましくは、前記第１の開口および前記端縁は、互いから離間された状態で配置され、前記形成パネルが前記１つの壁と一体になる状態を保つように交差しない。
【００１１】
好ましくは、前記成形パネルは、前記カートンに表示されるべきメッセージを見る人に対して前記視覚的な影響を高めるように成形される。
【００１２】
好ましくは、表示されるべき前記メッセージは、前記カートンの中身の質を示してもよく、前記質は、例えば、前記中身によって提供される健康上の利点である。
【００１３】
好ましくは、前記成形パネルは、前記カートンに表示される商標または商号の知名度をさらに高めるように成形される。
【００１４】
以下に添付する図面を参照した上で、本発明の５つの典型的な実施例を説明するが、これら実施例は例示にすぎない。
【発明を実施するための最良の形態】
【００１５】
本発明の第１の実施態様を図１に示す。図１は、巻き付け形のカートンの側面パネルなどのカートンの主要パネルを形成するパネル１０を示す。図６は、図５に示す第５の実施態様の主要パネル１０を備える巻き付け形のカートン４５０を示し、主要パネル１０は、巻き付け形のカートン４５０の側面パネルを形成する。主要パネル１０は、図１に見られるように、垂直に細長く、紙板、またはプラスチックシートもしくは同等物などの他の折畳み可能なシート材料から形成する。図１〜図６に示す実施態様では、主要パネル１０は、食品（例えば、ヨーグルト、プディング菓子、果実製品、野菜製品または肉製品など）の瓶、飲料容器（例えば、缶、瓶、カートン、コップ、ガラス製品など）、包装された、またはパッケージ化された乾燥葉（例えば、ティーバッグ、葉巻、たばこなど）、包装されたキャンディーまたは同等物などのパッケージ化された物品のためのカートン４５０の一部を形成するよう設計されている。
【００１６】
図６は、２層に配列されている１６個の物品Ｃを収容するカートン４５０を示し、それぞれの層は、２×４の列で構成される、合計８個のヨーグルトを含む。しかしながら、異なる配列での他の物品および／または異なる数の物品は、カートン４５０に収容してもよく、したがって、ブランクは、それに応じたサイズであってもよいことは言うまでもない。さらに、巻き付け形のカートン４５０が、図示される実施態様の主要パネル１０、１１０、２１０、３１０、４１０が組み込まれたカートンの形態（type）を示すために表わされるが、例示にすぎない。
【００１７】
図１を具体的に参照にして、主要パネル１０を詳細に説明する。図２〜図６に示している、本発明の他の実施態様はそれぞれ、第１の実施態様と同様の特長を含んでいる。かかる特長は、図において同様の参照数字によって表しているが、理解しやすいように、それに続く実施態様での参照数字は、１００、２００、３００または４００を加えた数字になっている。
【００１８】
主要パネル１０は、組み立てられたカートンに組み入れられるとき、カートンの壁の全部を形成してもよく、または複合カートンの壁の一部だけを形成してもよい（図６に示すようなもの）。主要パネル１０は、上端２８および下端３０を備える。組み立てられたカートンでは、上端２８および下端３０は、主要パネル１０がカートンの側壁を提供するように、主要パネル１０と、カートンの頂壁および底壁それぞれとの間のヒンジによる連結によって形成してもよいことは言うまでもない。これは、図５に示す主要パネル４１０が、巻き付け形のカートン４５０の側壁を形成し、主要パネル４１０が、頂壁４２８と底壁４３０との間にヒンジで連結されている図６に示す。カートン４５０の他の側壁４２９は、頂壁４２８と底壁４３０との間にヒンジで連結されている。その結果、壁４１０、４２８、４２９、４３０は、管状構造のカートン４５０を形成する。
【００１９】
図１の主要パネル１０に注目すると、成形パネル１８は、パネルの残りが図形部分１６を示す、主要パネル１０から形成する。図１は、成形パネル１８が主要パネル１０から形成され、成形パネル１８の外形が開口２０および主要パネル１０の端縁２６によって部分的に形成されていることを表わす。主要パネル１０の向かい合う他の端縁は、参照符号“２７”で表す。主要パネル１０の図形部分は、開口２０と主要パネル１０の他の端縁２７とによって形成される。第１の開口２０は、図形部分１６の上側端２８と下側端３０との間の想像線（notional line）に沿って広がる、略垂直に直線状の端２２を備えている。垂直に直線状の端２２は、見る人が成形パネル１８の形状を見分けることができる視点を形成するのに役立つ。
【００２０】
第１の開口２０はまた、第１の輪郭を示す端２４によって形成され、端２４はまた、成形パネル１８の端を形成する。この実施態様では、成形パネル１８は、サルまたは恐竜などの、漫画のキャラクターの頭を表す外形の形状を有する。成形パネル１８は、端縁２６によってできる第２の輪郭を示す端によってさらに形成され、端２６はさらに、キャラクターの頭の部分を表すように成形する。成形パネル１８は、切り端２６と開口２０との間の間隔および分離によって図形部分１６と一体になる状態を保つ。
【００２１】
図１〜図６は、成形パネル単体がカートンの一部を形成している１枚のパネルから形成されていることを表わす。図示される実施態様では、これは側壁であるが、しかしながら、代替の実施態様では、これは頂壁、底壁または端壁パネルとすることもできる。図２、図４、図５および図６は、端縁１２６、３２６、４２６および開口１２０、３２０、４２０は両方とも、組み立てられたカートンの頂壁と底壁との間に実質上広がっていることを表わす。
【００２２】
図３では、輪郭を示す端２４４は、主要パネル２１０から切り取られる第２の開口２４０の端を形成していることが理解できる。
【００２３】
図４は、端縁３２６および開口３２０の組み合わせは、下に向いている矢を表すように成形される成形パネルを形成していることを示す。対称的な形状を有する成形パネル１８が形成される。
【００２４】
成形パネル１８を形成するために、主要パネル１０の一部を取り除くことは、カートン４５０の中身の少なくとも一部を見るために、むき出しにする効果を有することがさらに理解されるであろう。開口および輪郭を示す端縁は、成形パネル１８の質を向上させるメッセージと連携するために、カートンの中身の特定の一部がむき出しとなるように選択してもよい。
【００２５】
成形パネル１８は、潜在的な購入者に対して、カートンの視覚的な影響を高めるために役立つ成形パネルを形成する。成形パネルは、購入者に伝達したいメッセージを目立たせ、強調し、又はそうでなければ表現することができる。このようなメッセージは、例えばパッケージの中身が体重管理、コレステロール降下、免疫システムの強化または腸の健康上の利点などの幾つかの健康上の利点を有することを示す場合もある。このようなメッセージは、本発明のカートン内に梱包される１つ以上の物品、又は本発明のカートンの図形部分または他の部分（頂壁、底壁および側壁を含む）に印刷されている。そうでなければ、前記メッセージは、本発明のカートン内に梱包される１つ以上の物品、又は本発明のカートンの図形部分または他の部分（頂壁、底壁および側壁を含む）によって伝達されても良い。代替的には、成形パネルは、１つ以上の物品、又はカートンの図形部分若しくは他の部分に印刷又は表示される商標、商号又は漫画風の画像（cartoon image）の知名度をさらに高めるように成形される。
【００２６】
図１〜図５に示す実施態様のうちのいずれも、図６に示すカートンの一部を形成してもよいことが理解されるであろう。ブランク（図示せず）からのカートン４５０の構造を考慮すると、好ましくは、カートン４５０および／またはブランクが構造を完成するために回転または反転させる必要がないので、直進機構を有する機械（straight line machine）で実施可能な、一連の逐次的な折畳み工程および接着工程が必要となる。折畳みのプロセスは、以下に説明するものに限定されず、特定の製造要件により改変することができる。カートン４５０が物品Ｃのグループの周囲に形成されることは言うまでもない。しかしながら、図６に示す巻き付け形のカートン４５０以外のカートンでは、カートンは物品Ｃを荷積みする前に管状構造に形成してもよい。
【００２７】
本発明の他の実施態様では、他の物品をカートンに収容してもよく、また本発明は、２層または２×４の列に配列されるヨーグルトの瓶のための、カートンまたはカートンを形成するためのブランクに限定されないことが想定される。したがって、他の物品を収容するために改変を加えてもよい。
【００２８】
本発明の範囲から逸脱することなく様々な変更を加えてもよく、例えば、パネルのサイズおよび形状は、異なるサイズまたは形状の物品を収容するために調整してもよいことを理解することができる。成形パネルは、利用者の様々な要件により成形してもよい。他の変形物もまた、本発明の範囲内で作ってもよい。
【００２９】
本明細書で使用される、「上」、「下」、「前」、「後」、「端」、「側」、「内部」、「外部」、「頂壁」、「下部」などの方向についての言及は、それぞれのパネルをかかる方位に限定するものではなく、これらのパネルをお互いから見分けるのに役立つものにすぎないことが認識されるであろう。ヒンジによる連結についてのどんな言及も、必ずしも単折り返し線について言及していると解釈されるべきではなく、実際には、ヒンジによる連結は、本発明の範囲から逸脱することなく、以下の、切り込み線、折れ線または折り目線のうちの１つ以上から形成することができることが想定される。
【図面の簡単な説明】
【００３０】
【図１】本発明の第１の実施態様により、成形パネルが提供されているカートンの側壁パネルを示す。
【図２】本発明の第２の実施態様により、成形パネルが提供されているカートンの側壁パネルを示す。
【図３】本発明の第３の実施態様により、成形パネルが提供されているカートンの側壁パネルを示す。
【図４】本発明の第４の実施態様により、成形パネルが提供されているカートンの側壁パネルを示す。
【図５】本発明の第４の実施態様により、成形パネルが提供されているカートンの側壁パネルを示す。
【図６】物品が詰め込まれている図５のカートンの透視図を示す。
【符号の説明】
【００３１】
１０  主要パネル
１６  図形部分
１８  成形パネル
２０  開口
２２  端
２４  端
２６  端縁
２７  端縁
２８  上端
３０  下端
１１０  主要パネル
１２０  開口
１２６  端縁
２１０  主要パネル
２４０  第２の開口
３１０  主要パネル
３２０  開口
３２６  端縁
４１０  主要パネル
４２０  開口
４２６  端縁
４２８  頂壁
４２９  側壁
４３０  底壁
４５０  カートン
【図１】
2009501679.tif 000003
【図２】
2009501679.tif 000004
【図３】
2009501679.tif 000005
【図４】
2009501679.tif 000006
【図５】
2009501679.tif 000007
【図６】
2009501679.tif 000008
【国際調査報告】
2009501679.tif 000009
2009501679.tif 000010
2009501679.tif 000011